(57)【要約】【課題】携帯端末等に保持されている個人情報にアクセスすることなく、利用者の属性情報を取得することができる広告情報提供システムを得ることを目的とする。【解決手段】撮影手段により撮影された通行人の属性を判定する属性判定手段と、前記属性判定手段により属性を判定された通行人から、広告の詳細情報を取得した利用者を特定する情報取得者特定手段とを備えた。【選択図】図１
2009211284.tif 000002
【特許請求の範囲】
【請求項１】
広告を表示する表示手段と、
前記表示手段に表示された広告の詳細情報を提供する情報提供手段と、
前記情報提供手段近傍の通行人を撮影する撮影手段と、
撮影した映像から通行人の属性を判定する属性判定手段と、
前記撮影手段で撮影された映像を解析して前記情報提供手段から詳細情報を取得した通行人を特定する情報取得者特定手段と、
前記情報取得者特定手段で特定された通行人の属性を蓄積する属性蓄積手段と、
を備えた広告情報提供システム。
【請求項２】
前記情報取得者特定手段により特定された通行人の属性情報に基づいて、前記情報提供手段において提供する詳細情報を制御する提供情報制御手段を備えたことを特徴とする請求項１に記載の広告情報提供システム。
【請求項３】
前記情報提供手段は、非接触ＩＣ（Ｉｎｔｅｇｒａｔｅｄ  Ｃｉｒｃｕｉｔ）カードリーダライタにより前記詳細情報を提供することを特徴とする請求項１または請求項２に記載の広告情報提供システム。
【請求項４】
前記情報提供手段は、バーコードにより前記詳細情報を提供することを特徴とする請求項１または請求項２に記載の広告情報提供システム。
【請求項５】
前記情報提供手段は、無線ＬＡＮ（Ｌｏｃａｌ  Ａｒｅａ  Ｎｅｔｗｏｒｋ）通信により前記詳細情報を提供することを特徴とする請求項１または請求項２に記載の広告情報提供システム。
【請求項６】
前記情報取得者特定手段は、前記撮影手段で撮影された画像における前記通行人の顔の大きさ及び位置に基づき、前記情報提供手段から詳細情報を取得した通行人を特定することを特徴とする請求項３または請求項４に記載の広告情報提供システム。
【請求項７】
前記情報取得者特定手段は、前記無線ＬＡＮによって特定された前記通行人の位置、及び前記撮影手段で撮影された画像における前記通行人の顔の大きさ及び位置に基づき、前記情報提供手段から詳細情報を取得した通行人を特定することを特徴とする請求項５に記載の広告情報提供システム。
【発明の詳細な説明】
【技術分野】
【０００１】
本発明は、公共スペース等に設置された表示装置に表示される広告に関連した詳細情報を利用者の携帯情報端末に配信する広告情報提供システムに関する。
【背景技術】
【０００２】
従来の広告情報提供システムには、利用者の携帯端末等に保持されている年齢や性別等の個人情報、または撮影手段により利用者を撮影して得られた年齢や性別等の属性情報を収集して前記利用者の分類を行い、前記分類結果から前記利用者の年齢構成及び性別構成に合致した広告を選択して公共スペース等に設置された表示装置に表示するものがあった（例えば、特許文献１参照）。また、前記表示装置に表示する広告に関連したＵＲＬやクーポン等の情報を前記利用者の携帯端末等へ送信するものがあった（例えば、特許文献２参照）。
【０００３】
【特許文献１】特開２００４−１５７４９８号公報
【特許文献２】特開２００４−１５７４９９号公報
【発明の開示】
【発明が解決しようとする課題】
【０００４】
従来の広告情報提供システムは上記のように構成されており、通行人の携帯端末等に保持されている個人情報に基づいて広告を選択するものでは、広告提供者側から見れば、携帯端末等に保持された個人情報へのアクセスが許可されない限り、利用者の年齢構成や性別構成等の属性情報を取得することができないという課題があった。また、利用者側から見れば、携帯端末等に保持された個人情報へのアクセスを許可しなければ、自己に適した広告の提供を受けることができないという課題があった。さらに、撮影手段により、利用者の属性情報を取得する場合にも、利用者のほかに通行人が一緒に撮影されていると、利用者と通行人を見分ける手段が無いため、広告提供者側から見れば、間違った利用者の属性情報を取得してしまうという課題があった。また利用者の属性に応じた詳細情報を提供できないという課題があった。
【０００５】
この発明は、上記課題を解決するためになされたもので、携帯端末等に保持されている個人情報にアクセスすることなく、利用者の属性情報を取得することができる広告情報提供システムを得ることを目的とする。
【課題を解決するための手段】
【０００６】
この発明に係る広告情報提供システムは、撮影手段により撮影された通行人の属性を検出する属性検出手段と、前記属性検出手段により属性を検出された通行人から、広告の詳細情報を取得した利用者を特定する情報取得者特定手段とを備えた。
【発明の効果】
【０００７】
この発明によれば、撮影手段により撮影された通行人の属性を検出する属性検出手段と、前記属性検出手段により属性を検出された通行人から、広告の詳細情報を取得した利用者を特定する情報取得者特定手段とを備えるようにしたので、携帯端末等に保持されている個人情報にアクセスすることなく、利用者の属性情報を取得することができる効果がある。
【発明を実施するための最良の形態】
【０００８】
以下、この発明における実施の形態の一例について、添付の図面に従って説明する。
実施の形態１．
【０００９】
図１はこの発明の実施の形態１による広告情報提供システムの構成図である。この実施の形態１による広告情報提供システムは、表示装置１、広告表示サーバ２、情報提供手段３、属性データベース４、属性検出手段５、情報取得者特定手段６を備える。なお、上記の情報提供手段３、属性データベース４、属性検出手段５、情報取得者特定手段６の各構成は、それぞれの機能に対応するソフトウェアと、これを実行するためのＣＰＵ（Ｃｅｎｔｒａｌ  Ｐｒｏｃｅｓｓｉｎｇ  Ｕｎｉｔ）やメモリ等のハードウェアから構成されている。
【００１０】
表示装置１は、表示装置１の前を通過、あるいは立ち止まっている通行人に広告を表示する大画面表示装置である。広告表示サーバ２は、広告情報を記憶し、該記憶された広告情報を表示装置１へ配信する。情報提供手段３は、非接触ＩＣ（Ｉｎｔｅｇｒａｔｅｄ  Ｃｉｒｃｕｉｔ）カードリードライタ３１を備え、携帯情報端末１０に対して近距離無線通信により表示装置１に表示されている広告の詳細情報、又は前記詳細情報を得るための情報、例えば例えば、インターネット上のアドレスであるＵＲＬ（Ｕｎｉｆｏｒｍ  Ｒｅｓｏｕｒｃｅ  Ｌｏｃａｔｏｒ）等を利用者に提供する。
【００１１】
属性検出手段５は、情報提供手段３の近くにいる通行人を撮影する撮影手段５１を備え、撮影手段５１で撮影された映像の解析を行い、前記通行人の性別、年齢等を推定して属性を検出する。ここで、年齢及び性別を推定する手法として、機械学習による方法を用いることができる。これは、多くの男性、女性の顔の画像を集め、どの画像が男性、女性であるか、どの画像が１０代、２０代等の画像であるかをコンピュータに学習させることにより、コンピュータに性別や年齢の判定を行わせる手法である（たとえば、ＵｎｉｔｅｄＳｔａｔｅｓＰａｔｅｎｔ７０２０３３７等に記載の技術を応用することが可能である）。
【００１２】
また、撮影手段５１は、この広告情報提供システムの利用者が情報提供手段３から広告の詳細情報を取得する際に、前記利用者の顔の撮影ができる位置に設置されており、前記利用者を追跡する機能を有する。なお、利用者の追跡には、例えば文献Ｄ．Ｃｏｍａｎｉｃｉｕ他「Ｋｅｒｎｅｌ  Ｂａｓｅｄ  Ｏｂｊｅｃｔ  Ｔｒａｃｋｉｎｇ」、ＩＥＥＥ  Ｔｒａｎｓａｃｔｉｏｎｓ  ｏｎ  Ｐａｔｔｅｒｎ  Ａｎａｌｙｓｉｓ  ａｎｄ  Ｍａｃｈｉｎｅ  Ｉｎｔｅｌｌｉｇｅｎｃｅ、Ｖｏｌ２５、Ｎｏ．５、ｐｐ５６４−５７７、２００３等に記載されている方式を利用することができる。
【００１３】
属性データベース４は、属性検出手段５により判定された属性の情報を蓄積する属性蓄積手段である。この属性データベース４は、属性検出手段５によって管理されている。図２は、属性データベース４に記録される情報の一例を示した図である。この実施の形態１では、属性データベース４に記録される情報として、レコード番号、顔領域追跡開始時刻、顔領域追跡終了時刻、推定性別、推定年齢、顔領域左上位置、顔領域サイズ、及び詳細情報アクセスの有無を例に示している。
【００１４】
レコード番号は、画像に捉えられた通行人の属性情報の記録番号であり、異なる通行人には異なるレコード番号が付与される。顔領域追跡開始時刻は、属性検出手段５により、顔が検出された時刻である。顔領域追跡終了時刻は、撮影手段５１で撮影される画像領域から顔が存在しなくなった時刻である。推定性別は、属性検出手段５により推定された男女の性別である。推定年齢は、属性検出手段５により推定された年齢である。顔領域左上位置は、撮影手段５１により撮影された映像から検出された顔領域の左上の座標である。顔領域サイズは、検出された顔領域の大きさである。詳細情報アクセスの有無は、詳細情報にアクセスしたか否かの記録である。
【００１５】
属性データベース４に上記情報を記録することにより、例えば、レコード番号１の記録からは、１０時２９分３０秒に顔が検出され、その人は、１０時３０分４５秒まで表示装置の前にいたこと、そして、その人の推定性別は男性、推定年齢は３０歳であり、詳細情報にアクセスしたことが確認することができる。また、レコード番号４の記録からは、１０時３２分２０秒に顔が検出され、現在も顔領域を追跡中であること、そして、その人の推定性別は男性、推定年齢は５０歳であることが確認することができる。
【００１６】
情報取得者特定手段６は、属性検出手段５で属性を検出された通行人から、情報提供手段３へアクセスして広告の詳細情報を取得した利用者を特定する。情報取得者特定手段６は、情報提供手段３にアクセスすることが可能な空間領域を、撮影手段５１の映像上の座標位置に対応づけて保持している。この領域は、（１）顔が存在する領域、及び（２）検出する顔の大きさの範囲の２つで規定され、情報取得者特定手段６は、レコード情報の更新にあわせて、属性検出手段５を介して、属性データベース４にアクセスし、現時追跡中の顔領域のレコード情報を得た後、それらの顔領域左上位置と顔領域サイズについて、上記の条件（１）及び（２）との比較を行い、そのレコード情報に対応する通行人が情報提供手段３にアクセスできる位置にいるか否かを判定する。
【００１７】
情報提供手段３と通行人が携帯する携帯情報端末１０との間で通信が生じると、情報取得者特定手段６は、情報提供手段３にアクセスできる位置にいる通行人に対応する属性データベース４のレコード番号の詳細情報アクセスの欄に「Ｙ」を記録する。
【００１８】
図３（ａ）は、この実施の形態１による広告情報提供システムの表示装置１、情報提供手段３、及び撮影手段５１を上から見た図である。図３（ａ）では、通行人が２人おり、その内の一人（人物１）が、情報提供手段３にアクセスできる位置にいる状態を示している。図３（ｂ）は、図３（ａ）の状態で、撮影手段５１により撮影された画像図である。図３（ｂ）中の符号４０１は、上に示した条件（１）「顔が存在する領域」を示している。図３（ｂ）では、図３（ａ）に示した人物１の顔１、及び人物２の顔２ともに領域４０１に入っているものの、顔２は、顔の大きさが、上の条件（２）を満たさないため、情報取得者特定手段６は、顔１に対応する人物１だけが、情報提供手段３にアクセスしたと判断し、属性データベース４を更新する。
【００１９】
携帯情報端末１０は、この広告情報提供システムの利用者が携帯する近距離無線通信が可能な情報端末であり、情報提供手段３から広告の詳細情報、又は前記詳細情報を得るためのＵＲＬ等の情報の提供を受けることができる。利用者は、前記ＵＲＬにアクセスすることにより、広告の詳細情報を入手することができる。
【００２０】
次に動作について説明する。
図４は、この実施の形態１による広告情報提供システムの動作を示すフローチャートである。初めに、属性検出手段５は、撮影手段５１が撮影する映像を取得し（ステップＳＴ１１）、取得した映像の解析を行い、画像に捉えられた通行人の顔が撮影されるよう撮影手段５１へ撮影エリアの更新を指示する（ステップＳＴ１２）。
【００２１】
次に、属性検出手段５は、撮影手段５１により撮影された画像の解析を行い、該画像に含まれる通行人の顔を検出する（ステップＳＴ１３）。次に、属性検出手段５は、検出した全ての顔について属性を検出したか否かを判定する（ステップＳＴ１４）。次に、属性検出手段５は、検出した顔に対して性別及び年齢の判定を実施する（ステップＳＴ１５、１６）次に、属性検出手段５は、性別及び年齢を判定した顔の領域が、ステップＳＴ１２で更新された顔領域追跡エリアに重なるか否かの判定を行なう（ステップＳＴ１７）。
【００２２】
属性検出手段５は、ステップＳＴ１７の判定結果が「重なっている」であれば、ステップＳＴ１５、１６で性別及び年齢を判定した通行人と、ステップＳＴ１２で更新された通行人とが同一人物であるとみなし、該当する属性データベース４を更新する（ステップＳＴ１９）。また、属性検出手段５は、ステップＳＴ１７の判定結果が「重なっていない」であれば、新たに撮影手段５１の画像に捉えられた通行人と見なして、属性データベース４にその性別及び年齢を登録する（ステップＳＴ１８）。次に、属性検出手段５は、ステップＳＴ１４へ戻り、画像から検出された全ての顔についてステップＳＴ１５からステップＳＴ１９までの処理を行うと、ステップＳＴ１１の処理に戻り、次の映像の処理を開始する。
【００２３】
以上のように、実施の形態１による広告情報提供システムによれば、利用者の携帯情報端末１０に記憶された個人情報にアクセスすることなく、利用者の属性情報を取得することができ、属性データベース４を参照するだけで、表示装置１に表示された広告に対する様々なマーケティング情報、例えば、その広告を何人が見たか、男女の内訳、年齢層、何人が詳細情報にアクセスしたか等のデータの取得が可能になるという効果がある。また、どのような人が実際に、情報提供手段３にアクセスして詳細情報を取得したかを正確に把握できるため、広告の効果を客観的に評価できるという効果がある。
【００２４】
なお、実施の形態１では、属性データベース４に全ての属性情報を記録するように構成したが、属性検出手段５の顔検出が処理対象画像の所定の領域内で、所定の顔の大きさを検出するようにして、情報提供手段３にアクセスした通行人の属性情報だけを属性データベース４に記録するようにしてもよい。このように構成すれば、利用者の属性情報だけを簡単に取得することができる。
【００２５】
実施の形態２．
図５は、実施の形態２による広告情報提供システムの構成図である。この実施の形態２では、情報取得者特定手段６で特定された利用者が情報提供手段３にアクセスして、詳細情報を得ようとする際に、前記利用者に適合した詳細情報を生成する提供情報制御手段７を備えたことを特徴とする。その他の構成については実施の形態１と同様であるため、同一の符号を付して説明を省略する。
【００２６】
次に動作について説明する。
提供情報制御手段７は、情報取得者特定手段６により特定された利用者に対応するレコードを属性データベース４から検索し、その性別・年齢を取得する。次に、提供情報制御手段７は、取得した性別・年齢を考慮して詳細情報を決定し、非接触ＩＣカードリーダライタ３１を介して携帯情報端末１０へ提供する。ここで提供される詳細情報としては、以下のような性別、年齢を引数とするＵＲＬ等が考えられる。ｈｔｔｐ：／／ｗｗｗ．ａｂｃ．ｄｅｆ／ａｄｖ？ｇｅｎｄｅｒ＝ｍａｌｅ；ａｇｅ＝４０ここで、ｇｅｎｄｅｒ＝ｍａｌｅは性別情報、ａｇｅ＝４０は年齢情報となる。
【００２７】
次に、情報提供手段３は、提供情報制御手段７の指示を受けて、非接触ＩＣカードリーダライタ３１を介して、前記ＵＲＬを利用者の携帯情報端末１０に送信する。その後、利用者が携帯情報端末１０から前記ＵＲＬにアクセスした際、Ｗｅｂサーバは、その引数に応じて最適な詳細情報を利用者に送信するように構成すればよい。
【００２８】
以上のように、この実施の形態２によれば、情報取得者特定手段６で特定された利用者が情報提供手段３にアクセスして、詳細情報を得ようとする際に、前記利用者に適合した詳細情報を生成する提供情報制御手段７をさらに備えたので、利用者の携帯情報端末１０内の個人情報にアクセスすることなく、情報提供手段３にアクセスした利用者の性別・年齢に適した詳細情報を提供することができるという効果がある。
【００２９】
なお、この実施の形態２では、非接触ＩＣカードリーダライタ３１を介して広告の詳細情報を提供するようにしたが、該詳細情報を２次元バーコードにコード化して情報提供手段３が、バーコードを利用者に提示するように構成しても良い。この場合、利用者は、携帯情報端末１０が持つカメラで、バーコードを撮影することによって詳細情報にアクセスできる。
【００３０】
実施の形態３．
図６は、実施の形態３による広告情報提供システムの構成図である。この実施の形態３による広告情報提供システムは、非接触ＩＣカードリーダライタ３１の代わりに、無線ＬＡＮ送受信機３２を備えたことを特徴とする。また、通行人が携帯する携帯情報端末１０は、無線ＬＡＮ送受信機３２との通信機能を備える。その他の構成は、実施の形態１と同じであるため、同一の符号を付して説明を省略する。
【００３１】
図７は、実施の形態３による広告情報提供システムの動作を説明するフローチャートである。通行人が携帯する携帯情報端末１０と情報提供手段３の間で、無線ＬＡＮ送受信機３２を介して通信が開始されると（ステップＳＴ２１）、非接触ＩＣカードリーダライタ３１を介して通信を行なった相手の携帯情報端末１０の位置、すなわち利用者の位置を取得する（ステップＳＴ２２）。ここで、無線ＬＡＮを用いて位置情報を得る方法としては、例えば、ＴＤＯＡ（Ｔｉｍｅ  Ｄｉｆｆｅｒｅｎｃｅ  ｏｆ  Ａｒｒｉｖａｌ）等の既知の手法を用いることができる。
【００３２】
次に、情報取得者特定手段６は、ステップＳＴ２２で取得した利用者の位置と撮影手段５１との相対的な位置関係から，撮影手段５１で撮影された画像上の座標位置を特定し（ステップＳＴ２３）、属性データベース４に記録されている現在追跡中の顔領域情報から最も近い顔領域を有するレコードを属性データベース４から検索する（ステップＳＴ２４）。次に、情報取得者特定手段６は、検索されたレコードに対応する通行人が、情報提供手段３にアクセスした利用者だと特定し、属性データベース４の更新を行う。そして，次の情報提供手段３における通信の発生を待つ。
【００３３】
以上のように、この実施の形態３によれば、広告の詳細情報取得時に情報提供手段３の近傍にいる必要がない無線ＬＡＮ等の通信を介して、利用者が情報提供手段３にアクセスした場合であっても、利用者の個人情報にアクセスすることなく、性別や年齢を判定することができ、広告の効果を客観的に計測することができるという効果がある。
【００３４】
なお、実施の形態３においても、実施の形態２と同様に、情報取得者特定手段６で特定された利用者が情報提供手段３にアクセスして、詳細情報を得ようとする際に、前記利用者に適合した詳細情報を生成する提供情報制御手段７を備えるようにしてもよい。
【図面の簡単な説明】
【００３５】
【図１】実施の形態１による広告情報提供システムの構成図である。
【図２】実施の形態１における属性検出手段が管理する属性データベースの例である。
【図３】実施の形態１による広告情報提供システムの上面図、及び撮影手段で撮影された映像図である。
【図４】実施の形態１による広告情報提供システムの動作を説明するフローチャートである。
【図５】実施の形態２による広告情報提供システムの構成図である。
【図６】実施の形態３による広告情報提供システムの構成図である。
【図７】実施の形態３による広告情報提供システムの動作を説明するフローチャートである。
【符号の説明】
【００３６】
１  表示装置、２  広告表示サーバ、３  情報提供手段、４  属性データベース、５  属性検出手段、６  情報取得者特定手段、７  提供情報制御手段、１０  携帯情報端末、３１  非接触ＩＣカードリーダライタ、３２  無線ＬＡＮ送受信機、５１  撮影手段。
【図１】
2009211284.tif 000003
【図２】
2009211284.tif 000004
【図３】
2009211284.tif 000005
【図４】
2009211284.tif 000006
【図５】
2009211284.tif 000007
【図６】
2009211284.tif 000008
【図７】
2009211284.tif 000009